(57)【要約】【課題】回転に伴う積層ヨークからの異音の発生を解消する。【解決手段】コイルボビン１１０の軸方向一方側に第１ヨーク１２０Ａを配置すると共に他方側に第２ヨーク１２０Ｂを配置してステータ本体１０１Ａを構成する。ステータ本体の軸方向他方側に第１ホルダ１６０Ａを配置し、一方側に第２ホルダ１６０Ｂを配置し、第１ヨークの外周側磁極部１２１の先端１２１ａを第１ホルダの保持溝１６３に配置し、第２ヨークの外周側磁極部１２１の先端１２１ａを第２ホルダの保持溝１６３に配置する。保持溝１６３の両側の一対の押さえ壁１６２によって外周側磁極の先端を密着状態で挟持する。【選択図】図９
2019047666.tif 000002
【特許請求の範囲】
【請求項１】
車輪と共に回転するハブシェルおよび該ハブシェルの胴部内周に円周状に配置された永久磁石を有するロータと、
前記車輪を回転自在に支持するハブ軸に回転不能に固定されると共に、前記ハブシェルの内部に収容された状態で前記永久磁石の内周側に配置され、前記ロータの回転により交番電流を出力するリング状のコイルを有したステータと、
を備えるハブダイナモにおいて、
前記ステータは、
前記リング状のコイルを包囲するように軸方向一方側と軸方向他方側に配置され、且つ、周方向に間隔をあけて放射状に配置されると共に周方向に交互に配置された複数の第１ヨークおよび複数の第２ヨークを有すると共に、
軸方向他方側に配置されて前記第１ヨークの軸方向他端側を保持する第１ホルダおよび軸方向一方側に配置されて前記第２ヨークの軸方向一端側を保持する第２ホルダを有し、
前記第１ヨークは、
前記コイルの外周側に位置して前記コイルの軸方向一端側から軸方向他端側に先端を延ばした外周側磁極部と、
前記コイルの内周側に位置して前記コイルの軸方向一端側から軸方向他端側に向けた中間位置まで先端を延ばした内周側磁極部と、
前記コイルの軸方向一端側において直線状に延在し前記外周側磁極部と前記内周側磁極部の基端同士を連結する連結部と、
を有し、
前記第２ヨークは、
前記コイルの外周側に位置して前記コイルの軸方向他端側から軸方向一端側に先端を延ばした外周側磁極部と、
前記コイルの内周側に位置して前記コイルの軸方向他端側から軸方向一端側に向けた中間位置まで先端を延ばした内周側磁極部と、
前記コイルの軸方向他端側において直線状に延在し前記外周側磁極部と前記内周側磁極部の基端同士を連結する連結部と、
を有し、
前記第１ヨークおよび前記第２ヨークは、それぞれ、磁性体からなる複数の平坦な板状部材をコイルの半径方向と直交する方向に積層した積層ヨークとして構成されると共に、前記第１ヨークの前記内周側磁極部の先端と前記第２ヨークの前記内周側磁極部の先端とが前記コイルの内周側において互いに当接し、
さらに、前記第１ヨークの外周側磁極の先端が、前記第１ホルダ上に円周方向に配列された複数の押さえ壁のうちの隣り合う一対の押さえ壁の間に配置されることで、当該一対の押さえ壁によって、前記外周側磁極の先端における前記複数の板状部材が積層方向に密着状態で挟持されると共に、
前記第２ヨークの外周側磁極の先端が、前記第２ホルダ上に円周方向に配列された複数の押さえ壁のうちの隣り合う一対の押さえ壁の間に配置されることで、当該一対の押さえ壁によって、前記外周側磁極の先端における前記複数の板状部材が積層方向に密着状態で挟持されている
ことを特徴とするハブダイナモ。
【請求項２】
前記第１ヨークおよび前記第２ヨークの配置に際し、前記ステータの外周面上に、周方向に間隔をおいて交互に前記第１ヨークの配置位置および第２ヨークの配置位置が設定され、
前記ハブ軸の中心軸線と前記第１ヨークの前記外周側磁極部における外周面側の周方向中央とを含む平面が前記第１ヨークの配置基準面として設定されると共に、前記第１ヨークの配置基準面に対して周方向一方側に傾斜した平面が前記第１ヨークの実配置面として設定されることにより、前記第１ヨークの実配置面上に前記第１ヨークが配置され、
前記ハブ軸の中心軸線と前記第２ヨークの前記外周側磁極部における外周面側の周方向中央とを含む平面が前記第２ヨークの配置基準面として設定されると共に、前記第２ヨークの配置基準面に対して周方向他方側に傾斜した平面が前記第２ヨークの実配置面として設定されることにより、前記第２ヨークの実配置面上に前記第２ヨークが配置され、
前記第１ヨークの実配置面と前記第２ヨークの実配置面との交差線上において、前記第１ヨークの前記内周側磁極部の先端と前記第２ヨークの前記内周側磁極部の先端とが当接している
ことを特徴とする請求項１に記載のハブダイナモ。
【請求項３】
前記ステータは、前記リング状のコイルを保持するコイルボビンを有し、
前記コイルボビンは、
前記コイルが巻回された胴部と、前記胴部の軸方向一方側に配置されて前記第１ヨークの軸方向一端側を保持する第１フランジと、
前記胴部の軸方向他方側に配置されて前記第２ヨークの軸方向他端側を保持する第２フランジと、
を有し、
前記軸方向他方側に配置された第１ホルダは、
前記コイルボビンの第２フランジの軸方向外側に配置された円環板状のホルダ本体部と、
前記円環板状のホルダ本体部の軸方向内側面の外周側に円周方向に多数配列され且つ軸方向一方側に向けて突設された前記押さえ壁と、
を有し、
前記軸方向一方側に配置された第２ホルダは、
前記コイルボビンの第１フランジの軸方向外側に配置された円環板状のホルダ本体部と、
前記円環板状のホルダ本体部の軸方向内側面の外周側に円周方向に多数配列され且つ軸方向他方側に向けて突設された前記押さえ壁と、
を有し、
前記第１ホルダの円周方向に配列された複数の押さえ壁のうち、１つ置きに並んで対をなす前記押さえ壁の間に前記第１ヨークの外周側磁極部の先端が挟持され、
前記第２ホルダの円周方向に配列された複数の押さえ壁のうち、１つ置きに並んで対をなす前記押さえ壁の間に前記第２ヨークの外周側磁極部の先端が挟持されている
ことを特徴とする請求項１または請求項２に記載のハブダイナモ。
【請求項４】
前記第１ホルダおよび前記第２ホルダの対をなす前記押さえ壁の内周側に、両押さえ壁に跨がることで両押さえ壁を連結する補強壁が設けられている
ことを特徴とする請求項３に記載のハブダイナモ。
【請求項５】
前記第１ホルダおよび第２ホルダが樹脂で構成され、前記第１ホルダおよび第２ホルダの円環板状の各ホルダ本体部の軸方向外側の内周側側面に、前記ハブ軸に螺合したナットによって前記第１ヨークおよび第２ヨークを軸方向に締め付けた際に、前記ナットにより押し潰されることで前記ナットによる締め付け力を吸収する複数の突起が設けられている
ことを特徴とする請求項３または請求項４に記載のハブダイナモ。
【請求項６】
前記円環板状のホルダ本体部の内周縁と外周縁に、それぞれ軸方向に貫通するコイル引出凹部が設けられている
ことを特徴とする請求項３〜請求項５のいずれか１項に記載のハブダイナモ。
【発明の詳細な説明】
【技術分野】
【０００１】
本発明は、ハブダイナモに関するものである。
【背景技術】
【０００２】
自転車の前照灯や尾灯等に電力を供給するため、車輪の回転によって発電する発電機が広く普及している。このような発電機には様々な構造のものが存在するが、ハブ軸に取り付けられる、いわゆるハブダイナモが知られている。
一般に、ハブダイナモは、車輪側に永久磁石を備えたロータを配設し、そのロータが、ハブ軸側に設けたステータの周囲にて回転することで、ステータに備わるコイルで発電する。
【０００３】
このハブダイナモにおけるステータとして、第１ヨークおよび第２ヨークをコイルボビンに組み付けたクローポール型のものが知られている。このものは、コイルが巻回されたコイルボビンの軸方向一方側と他方側とに、それぞれ複数の第１ヨークと複数の第２ヨークとが配置されている。そして、第１ヨークの外周側磁極部（ティース部）と第２ヨークの外周側磁極部（ティース部）とが円周方向に交互に並んでいる。
【０００４】
例えば、特許文献１に記載のハブダイナモでは、第１ヨークおよび第２ヨークの各ヨークが、磁性体からなる複数の平坦な板状部材をコイルの半径方向と直交する方向に積層した積層ヨークとして構成されている。そして、第１ヨークおよび第２ヨークは、それぞれ側面視コ字形をなしている。
【０００５】
すなわち、第１ヨークは、コイルの外周側に位置してコイルの軸方向一端側から軸方向他端側に先端を延ばした外周側磁極部（ティース部）と、コイルの内周側に位置してコイルの軸方向一端側から軸方向他端側に向けた中間位置まで先端を延ばした内周側磁極部と、コイルの軸方向一端側において半径方向に沿って直線状に延在し外周側磁極部と内周側磁極部の基端同士を連結する連結部と、を有する側面視コ字形をなしている。
【０００６】
また、第２ヨークは、コイルの外周側に位置してコイルの軸方向他端側から軸方向一端側に先端を延ばした外周側磁極部（ティース部）と、コイルの内周側に位置してコイルの軸方向他端側から軸方向一端側に向けた中間位置まで先端を延ばした内周側磁極部と、コイルの軸方向他端側において半径方向に沿って直線状に延在し外周側磁極部と前記内周側磁極部の基端同士を連結する連結部と、を有する側面視コ字形をなしている。
【０００７】
そして、コイルの内周側において、第１ヨークの内周側磁極部の先端と第２ヨークの内周側磁極部の先端とを当接させ、それにより、第１ヨークと第２ヨークとを磁気的に接続している。
【先行技術文献】
【特許文献】
【０００８】
【特許文献１】特開２０１６−４１５９１号公報
【発明の概要】
【発明が解決しようとする課題】
【０００９】
ところで、各ヨークが、磁性体からなる複数枚の板状部材を積層した積層ヨークとして構成されている場合、板状部材間は接着剤により接合されているのが一般的である。しかし、板状部材間の接合強度が足りないと、ヨークの外周側で永久磁石のＮ極とＳ極が交互に回転移動するのに伴って、異音が発生する可能性があった。
【００１０】
すなわち、例えば、ヨークの外周側を永久磁石のＮ極が通過する際には、ヨークの外周端（外周側磁極部）はＳ極に励磁される。すると、積層された板状部材が全てＳ極に励磁されることにより、板状部材同士間に反発力が発生し、板状部材同士が互いに離れようとする。板状部材間の接合強度が弱い場合は、例えば、一番外側に積層してある１枚の板状部材が僅かでも離れてしまうことがある。このような状態で永久磁石が一定以上動くと、今度は離れた１枚の板状部材に隣りのＳ極が近づくことにより、離れた板状部材がＮ極に励磁される。離れた板状部材がＮ極に励磁されると、残りのＳ極に励磁されている板状部材との間に吸引力が発生し、離れた板状部材が吸引されて残りの板状部材に叩き付けられることになる。その際、衝突による異音が発生する可能性があった。
【００１１】
そこで、この発明は、上述した事情に鑑みてなされたものであって、回転に伴う積層ヨークからの異音の発生を解消し得るハブダイナモを提供することを目的とする。
【課題を解決するための手段】
【００１２】
上記課題を解決するために、本発明に係るハブダイナモは、車輪と共に回転するハブシェルおよび該ハブシェルの胴部内周に円周状に配置された永久磁石を有するロータと、前記車輪を回転自在に支持するハブ軸に回転不能に固定されると共に、前記ハブシェルの内部に収容された状態で前記永久磁石の内周側に配置され、前記ロータの回転により交番電流を出力するリング状のコイルを有したステータと、を備えるハブダイナモにおいて、前記ステータは、前記リング状のコイルを包囲するように軸方向一方側と軸方向他方側に配置され、且つ、周方向に間隔をあけて放射状に配置されると共に周方向に交互に配置された複数の第１ヨークおよび複数の第２ヨークを有すると共に、軸方向他方側に配置されて前記第１ヨークの軸方向他端側を保持する第１ホルダおよび軸方向一方側に配置されて前記第２ヨークの軸方向一端側を保持する第２ホルダを有し、前記第１ヨークは、前記コイルの外周側に位置して前記コイルの軸方向一端側から軸方向他端側に先端を延ばした外周側磁極部と、前記コイルの内周側に位置して前記コイルの軸方向一端側から軸方向他端側に向けた中間位置まで先端を延ばした内周側磁極部と、前記コイルの軸方向一端側において直線状に延在し前記外周側磁極部と前記内周側磁極部の基端同士を連結する連結部と、を有し、前記第２ヨークは、前記コイルの外周側に位置して前記コイルの軸方向他端側から軸方向一端側に先端を延ばした外周側磁極部と、前記コイルの内周側に位置して前記コイルの軸方向他端側から軸方向一端側に向けた中間位置まで先端を延ばした内周側磁極部と、前記コイルの軸方向他端側において直線状に延在し前記外周側磁極部と前記内周側磁極部の基端同士を連結する連結部と、を有し、前記第１ヨークおよび前記第２ヨークは、それぞれ、磁性体からなる複数の平坦な板状部材をコイルの半径方向と直交する方向に積層した積層ヨークとして構成されると共に、前記第１ヨークの前記内周側磁極部の先端と前記第２ヨークの前記内周側磁極部の先端とが前記コイルの内周側において互いに当接し、さらに、前記第１ヨークの外周側磁極の先端が、前記第１ホルダ上に円周方向に配列された複数の押さえ壁のうちの隣り合う一対の押さえ壁の間に配置されることで、当該一対の押さえ壁によって、前記外周側磁極の先端における前記複数の板状部材が積層方向に密着状態で挟持されると共に、前記第２ヨークの外周側磁極の先端が、前記第２ホルダ上に円周方向に配列された複数の押さえ壁のうちの隣り合う一対の押さえ壁の間に配置されることで、当該一対の押さえ壁によって、前記外周側磁極の先端における前記複数の板状部材が積層方向に密着状態で挟持されていることを特徴とする。
【００１３】
この構成においては、ヨークの外周側磁極部の先端を、ホルダによって板状部材の積層方向に密着状態で挟持する。よって、積層ヨークの板状部材間に磁気的反発力が生じても、積層方向の端部の板状部材が他の板状部材から離れないようにすることができる。その結果、永久磁石の回転に応じて積層方向の端部の板状部材が他の板状部材から離れた後で磁気吸引されて他の板状部材に叩き付けられる現象を無くすことができ、異音の発生を解消することができる。また、ヨークの外周側磁極部の先端を、板状部材間が密着する状態で挟持することから、接着剤を用いて板状部材間を接着する工程を省略することも可能になり、製造工程の簡素化が図れる。
【００１４】
本発明に係るハブダイナモにおいて、前記第１ヨークおよび前記第２ヨークの配置に際し、前記ステータの外周面上に、周方向に間隔をおいて交互に前記第１ヨークの配置位置および第２ヨークの配置位置が設定され、前記ハブ軸の中心軸線と前記第１ヨークの前記外周側磁極部における外周面側の周方向中央とを含む平面が前記第１ヨークの配置基準面として設定されると共に、前記第１ヨークの配置基準面に対して周方向一方側に傾斜した平面が前記第１ヨークの実配置面として設定されることにより、前記第１ヨークの実配置面上に前記第１ヨークが配置され、前記ハブ軸の中心軸線と前記第２ヨークの前記外周側磁極部における外周面側の周方向中央とを含む平面が前記第２ヨークの配置基準面として設定されると共に、前記第２ヨークの配置基準面に対して周方向他方側に傾斜した平面が前記第２ヨークの実配置面として設定されることにより、前記第２ヨークの実配置面上に前記第２ヨークが配置され、前記第１ヨークの実配置面と前記第２ヨークの実配置面との交差線上において、前記第１ヨークの前記内周側磁極部の先端と前記第２ヨークの前記内周側磁極部の先端とが当接していることを特徴とする。
【００１５】
この構成においては、半径方向に沿った平面上ではなく、半径方向に対して傾斜した平面（ヨークの実配置面）上にヨークを配置しているので、第１ヨークの内周側磁極部の先端と第２ヨークの内周側磁極部の先端とを１対１の関係で当接させることができる。従って、ヨークの寸法公差等によるバラツキにより第１ヨークと第２ヨークの当接面に隙間が生じるのを無くすことができ、当接面の密着度を高めることができる。その結果、ヨークの磁気的接続を安定させて鉄損を減少することができる。
【００１６】
本発明に係るハブダイナモにおいて、前記ステータは、前記リング状のコイルを保持するコイルボビンを有し、前記コイルボビンは、前記コイルが巻回された胴部と、前記胴部の軸方向一方側に配置されて前記第１ヨークの軸方向一端側を保持する第１フランジと、前記胴部の軸方向他方側に配置されて前記第２ヨークの軸方向他端側を保持する第２フランジと、を有し、前記軸方向他方側に配置された第１ホルダは、前記コイルボビンの第２フランジの軸方向外側に配置された円環板状のホルダ本体部と、前記円環板状のホルダ本体部の軸方向内側面の外周側に円周方向に多数配列され且つ軸方向一方側に向けて突設された前記押さえ壁と、を有し、前記軸方向一方側に配置された第２ホルダは、前記コイルボビンの第１フランジの軸方向外側に配置された円環板状のホルダ本体部と、前記円環板状のホルダ本体部の軸方向内側面の外周側に円周方向に多数配列され且つ軸方向他方側に向けて突設された前記押さえ壁と、を有し、前記第１ホルダの円周方向に配列された複数の押さえ壁のうち、１つ置きに並んで対をなす前記押さえ壁の間に前記第１ヨークの外周側磁極部の先端が挟持され、前記第２ホルダの円周方向に配列された複数の押さえ壁のうち、１つ置きに並んで対をなす前記押さえ壁の間に前記第２ヨークの外周側磁極部の先端が挟持されていることを特徴とする。
【００１７】
この構成においては、コイルボビンの第１フランジにより軸方向一端側を保持した第１ヨークの外周側磁極部の軸方向他端側に延ばした先端を、コイルボビンの第２フランジの軸方向外側に配置された第１ホルダで支持することができる。また、コイルボビンの第２フランジにより軸方向他端側を保持した第２ヨークの外周側磁極部の軸方向一端側に延ばした先端を、コイルボビンの第１フランジの軸方向外側に配置された第２ホルダで支持することができる。つまり、外周側磁極部の先端を保持するホルダは、各ヨークが配置された側と反対側にコイルボビンのフランジと別体に配置されている。そのため、コイルボビンのフランジの加工精度に拘わらず、ホルダの精度を確保しさえすれば、ヨークの外周側磁極部の先端を密着状態で安定保持することができる。
【００１８】
本発明に係るハブダイナモにおいて、前記第１ホルダおよび前記第２ホルダの対をなす前記押さえ壁の内周側に、両押さえ壁に跨がることで両押さえ壁を連結する補強壁が設けられていることを特徴とする。
【００１９】
この構成においては、一対の押さえ壁を補強壁で補強するので、ヨークの外周側磁極部の先端に対する挟持力を強く設定できる。また、補強壁が、一対の押さえ壁の内周側に跨がって配置されていることで、ヨークの外周側磁極部の先端の半径方向内方への位置ずれを防ぐこともできる。
【００２０】
本発明に係るハブダイナモにおいて、前記第１ホルダおよび第２ホルダが樹脂で構成され、前記第１ホルダおよび第２ホルダの円環板状の各ホルダ本体部の軸方向外側の内周側側面に、前記ハブ軸に螺合したナットによって前記第１ヨークおよび第２ヨークを軸方向に締め付けた際に、前記ナットにより押し潰されることで前記ナットによる締め付け力を吸収する複数の突起が設けられていることを特徴とする。
【００２１】
この構成においては、ナットによる締め付け力をヨークに直接作用させることができる。そのため、第１ヨークの内周側磁極部の先端と第２ヨークの内周側磁極部の先端とを互いに強く当接させることができ、第１ヨークと第２ヨークを良好に磁気結合させることができる。また、樹脂製のホルダに対しては、ナットの締め付けに伴って突起が潰れることによって、ホルダ本体部に過大な締め付け力が作用しないようにすることができる。よって、ホルダを過不足なく締め付け固定することができると共に、樹脂製のホルダがあるからといって、ナットによる締め付け力を小さめに設定する必要もない。つまり、ナットによる締め付け力を大きめに設定することで、第１ヨークと第２ヨークの磁気結合性を高めることが可能になる。
【００２２】
本発明に係るハブダイナモにおいて、前記円環板状のホルダ本体部の内周縁と外周縁に、それぞれ軸方向に貫通するコイル引出凹部が設けられていることを特徴とする。
【００２３】
この構成においては、コイルの始端や終端をスムーズに外部に引き出すことができる。
【発明の効果】
【００２４】
本発明に係るハブダイナモによれば、積層ヨークの板状部材間に磁気的反発力が生じても、積層方向の端部の板状部材が他の板状部材から離れないようにすることができる。その結果、永久磁石の回転に応じて積層方向の端部の板状部材が他の板状部材から離れた後で磁気吸引されて他の板状部材に叩き付けられる現象を無くすことができ、異音の発生を解消することができる。
【図面の簡単な説明】
【００２５】
【図１】本発明の実施形態におけるハブダイナモの取付概要図である。
【図２】本発明の実施形態におけるハブダイナモの外観斜視図である。
【図３】本発明の実施形態におけるハブダイナモの断面図である。
【図４】本発明の実施形態におけるハブダイナモを構成するステータユニットの側面図である。
【図５】本発明の実施形態におけるハブダイナモを構成するステータユニットの軸方向一方Ｐ側から見た斜視図である。
【図６】本発明の実施形態におけるハブダイナモを構成するステータユニットの軸方向他方Ｑ側から見た斜視図である。
【図７】本発明の実施形態におけるハブダイナモを構成するステータユニットの軸方向一方Ｐ側から見た分解斜視図である。
【図８】本発明の実施形態におけるハブダイナモを構成するステータの斜視図である。
【図９】本発明の実施形態におけるハブダイナモを構成するステータの分解斜視図である。
【図１０】本発明の実施形態におけるハブダイナモを構成するステータの主要部であるステータ本体の分解斜視図である。
【図１１】本発明の実施形態におけるハブダイナモを構成するステータのコイルボビンの斜視図である。
【図１２】本発明の実施形態におけるハブダイナモを構成するステータ本体の軸方向から見た図であり、（ａ）は、図１０のＥＡ矢視図、（ｂ）は、図１０のＥＢ矢視である。
【図１３】本発明の実施形態におけるハブダイナモを構成するステータ本体の第１ヨークと第２ヨークの配置角度を説明するための軸方向一方Ｐ側から見たヨークとコイルボビンの図である。
【図１４】本発明の実施形態におけるハブダイナモを構成するステータの第１ヨークと第２ヨークの配置角度を説明するための図で、（ａ）は、１組の第１ヨークと第２ヨークを組み合わせる前の状態を示す斜視図、（ｂ）は、第１ヨークと第２ヨークを組み合わせた後の状態を示す斜視図、（ｃ）は、図１４（ｂ）のＦ矢視図である。
【図１５】本発明の実施形態におけるハブダイナモを構成するステータの各ヨークの構成を説明するための図で、（ａ）は、ヨークを構成する１枚の板状部材の斜視図、（ｂ）は、板状部材を積層して構成したヨークの斜視図、（ｃ）は、連結部側から見たヨークの斜視図である。
【図１６】本発明の実施形態におけるハブダイナモを構成するステータの第１ホルダおよび第２ホルダの斜視図である。
【図１７】本発明の実施形態におけるハブダイナモを構成するステータの第１ホルダおよび第２ホルダに対する第１ヨークおよび第２ヨークの外周側磁極部の先端の配置を示す側面図である。
【図１８】本発明の実施形態におけるハブダイナモを構成するステータと締め付け用のナットおよびワッシャとの関係を説明するための軸方向一方Ｐ側から見た斜視図で、（ａ）は、ナットを締め付ける前の状態を示す図、（ｂ）は、ナットを締め付けた後の状態を示す図である。
【図１９】本発明の実施形態におけるハブダイナモを構成するステータと締め付け用のナットおよびワッシャとの関係を説明するための軸方向他方Ｑ側から見た斜視図で、（ａ）は、ナットを締め付ける前の状態を示す図、（ｂ）は、ナットを締め付けた後の状態を示す図である。
【図２０】本発明の実施形態におけるハブダイナモを構成するステータと締め付け用のナットおよびワッシャとの関係を説明するための断面図である。
【図２１】図２０の矢視Ｎ１部分の拡大図である。
【図２２】図２０の矢視Ｎ２部分の拡大図である。
【図２３】回転に伴う積層ヨークからの異音の発生の原理を（ａ）〜（ｄ）の順を追って説明するための図である。
【発明を実施するための形態】
【００２６】
次に、この発明の実施形態を図面に基づいて説明する。
図１は、ハブダイナモ１０の取付概要図である。なお、以下の説明では、本発明に係るハブダイナモ１０を自転車１のハブ軸１１に取り付け、自転車１の前照灯４に電力を供給する場合について説明する。この前照灯４には、ランプとして、フィラメント式の電球ではなく、ＬＥＤランプが使用されている。
【００２７】
（ハブダイナモの取付態様）
図１に示すように、自転車１の前輪５は、フレームの一部を構成するフロントフォーク３によりハブ軸１１を介して回転可能に軸支されている。ハブ軸１１は、両側がフロントフォーク３にナット（不図示）等により回転不能に締結固定されている。ハブ軸１１の軸方向中央の大部分には、ハブダイナモ１０が、ハブ軸１１と同軸に取り付けられている。このハブダイナモ１０は、前輪５の側方に配置された前照灯４に電力を供給するものとして設けられている。
【００２８】
ハブダイナモ１０は、前輪５のスポーク２に接続されて前輪５と共に、ハブ軸１１の周囲を回転するロータ２０（後述）と、ロータ２０の内周側に位置する状態でハブ軸１１に回転不能に取り付けられたステータ１０１（後述）と、を備えている。
以下、ハブ軸１１の中心軸線Ｏの軸方向を単に軸方向といい、軸方向に直交する方向を径方向といい、中心軸線Ｏ周りに沿った方向を周方向という。なお、ハブ軸１１のうち、少なくともステータ１０１（後述）が取り付けられた部分よりも軸方向外側に位置する部分には、フロントフォーク３にハブダイナモ１０を固定するための雄ねじ部（不図示）が形成されている。
【００２９】
（ロータ）
図２は、ハブダイナモ１０の外観斜視図である。図３は、ハブダイナモ１０の断面図である。
図２、図３に示すように、ロータ２０は、ハブシェル３０を主体に構成されている。ハブシェル３０は、略有底円筒状に一体成形された円筒状の胴部（筒部）３１および胴部３１の軸方向他方Ｑ側（図３における右側）の第２のエンドプレート３３と、胴部３１の軸方向一方Ｐ側（図３における左側）の開口を塞ぐ第１のエンドプレート３２と、からなる。第１のエンドプレート３２は、胴部３１に圧入固定されている。
【００３０】
ハブシェル３０の軸方向一方Ｐ側および軸方向他方Ｑ側の外周には、径方向外側に向かって張り出すフランジ部３４が形成されている。各フランジ部３４には、軸方向に貫通する支持孔３４ａが周方向に等間隔で複数形成されている。
支持孔３４ａには、図１に示すように、前輪５のリム５ａから内径側に延在する複数のスポーク２の内側端部が係合されている。なお、左右のフランジ部３４の支持孔３４ａは、半ピッチ分だけ周方向に位相がずれて配置されている。
【００３１】
第１のエンドプレート３２および第２のエンドプレート３３の内周には、それぞれベアリング（軸受）３５，３６の外輪が嵌合されている。そして、ハブシェル３０を主体として構成されるロータ２０は、ベアリング３５，３６を介してハブ軸１１に回転可能に支持されることで、前輪５の回転と共にハブ軸１１を中心に回転する。すなわち、ロータ２０は、前輪５を回転可能に支持するハブとして機能している。
【００３２】
ハブシェル３０の胴部３１の内周には、円筒状のリングヨーク２１を介して、例えばフェライト等により形成された永久磁石２２が配置されている。リングヨーク２１は、磁性金属材料（例えば、鉄）よりなる。リングヨーク２１を、例えば鉄製にすることにより、ハブシェル３０をアルミ製として軽量化できる。永久磁石２２は、リングヨーク２１の内周に密着した状態で配置され、接着剤等により貼付されている。永久磁石２２を、胴部３１の内周面に沿って円筒状に配置することにより、永久磁石２２は、ステータ１０１の外周面全体を覆っている。
【００３３】
なお、永久磁石２２は、周方向に複数に分割された状態でハブシェル３０の胴部３１の内周に組み込まれている。この円筒状に配置された永久磁石２２の内周面には、等間隔でＮ極およびＳ極の磁極が周方向に沿って交互に着磁されており、後述する第１ヨーク１２０Ａおよび第２ヨーク１２０Ｂの外周部と対向している。
【００３４】
図４は、ハブダイナモを構成するステータユニットの側面図である。図５は、ステータユニットの軸方向一方Ｐ側から見た斜視図である。図６は、ステータユニットの軸方向他方Ｑ側から見た斜視図である。図７は、ステータの軸方向一方Ｐ側から見た分解斜視図である。
【００３５】
図３に示すように、ハブ軸１１の軸方向中間部には大径部が形成されており、その大径部の外周にステータ１０１が取り付けられている。
図４〜図７に示すように、ステータ１０１は、その軸方向両端部に配したワッシャ（プレート部材）４１，４３，４９を介し、スリーブナット４２および締付ナット４４（いずれも単に「ナット」ということもある）によりハブ軸１１に位置決め固定されている。これらハブ軸１１およびステータ１０１などにより、ステータユニット１００が構成されている。
【００３６】
図３に示すように、ステータユニット１００の軸方向一方Ｐ側に配置されたスリーブナット４２の外周には、一方のベアリング３５の内輪が嵌合されている。このベアリング３５よりも軸方向外側にはコネクタ５０が設けられ、コネクタ５０の軸方向外側にはナット５１が配置されている。このナット５１がハブ軸１１に螺合されることで、コネクタ５０がハブ軸１１に固定されると共に、ベアリング３５を介してハブ軸１１にハブシェル３０の一端側が回転自在に支持されている。
【００３７】
また、ハブ軸１１の軸方向他方Ｑ側には、別のスリーブナット４５が配置されており、このスリーブナット４５の外周には、他方のベアリング３６の内輪が嵌合されている。このベアリング３６より軸方向外側にはカバー４６が設けられ、カバー４６の内周部にはナット４７が配置されている。このナット４７がハブ軸１１に螺合されることで、カバー４６がハブ軸１１に固定されると共に、ベアリング３６を介してハブ軸１１にハブシェル３０の他端側が回転自在に支持されている。
【００３８】
（ステータ）
次に、ステータ１０１の詳細について説明する。
図８は、ステータ１０１の構成を示す斜視図である。図９は、ステータ１０１の構成を示す分解斜視図である。図１０は、ステータ１０１の主要部であるステータ本体１０１Ａの分解斜視図である。
【００３９】
図８および図９に示すように、ステータ１０１は、主要部であるステータ本体１０１Ａと、その軸方向両側に配された第１ホルダ１６０Ａおよび第２ホルダ１６０Ｂと、を備えている。両ホルダ１６０Ａ、１６０Ｂは、同じ構成のものであり、樹脂の一体成形品として形成されている。
ここで注意すべき点は、第１ホルダ１６０Ａは、軸方向他方Ｑ側に配置されており、後述する軸方向一方Ｐ側に配置された第１ヨーク１２０Ａの軸方向他方Ｑ側に延びた先端１２１ａを保持していることである。また、第２ホルダ１６０Ｂは、軸方向一方Ｐ側に配置されており、後述する軸方向他方Ｑ側に配置された第２ヨーク１２０Ｂの軸方向一方Ｐ側に延びた先端１２１ａを保持していることである。
【００４０】
図１０に示すように、ステータ本体１０１Ａは、ハブ軸１１が挿通される合成樹脂製（非磁性材料製）の筒状のコイルボビン１１０と、コイルボビン１１０に巻かれたリング状のコイル１４０と、コイル１４０を内側に包囲するように組み立てられたクローポール型のステータコア１２０と、により構成されている。これらハブ軸１１、コイルボビン１１０、第１ヨーク１２０Ａおよび第２ヨーク１２０Ｂは、同軸上に配置されている。
【００４１】
ここでは、クローポール型のステータコア１２０を構成する要素として、軸方向一方Ｐ側に複数の第１ヨーク１２０Ａが配設され、軸方向他方Ｑ側に複数の第２ヨーク１２０Ｂが配設されている。これら複数の第１ヨーク１２０Ａおよび複数の第２ヨーク１２０Ｂは、周方向に一定間隔をあけて放射状に配置されると共に、周方向に交互に並ぶように配置されている。そして、各ヨーク１２０Ａ，１２０Ｂの外周部が、若干の間隙（エアギャップ）をあけて、永久磁石２２の内周面２２ａ（図３参照）と対向するように構成されている。
【００４２】
ヨーク１２０Ａ，１２０Ｂの個数（極数）は、永久磁石２２の磁極数に関連して設定されている。本実施形態では、第１ヨーク１２０Ａが１６個、第２ヨーク１２０Ｂが１６個の合計３２個が一定間隔で設けられている。図示しないが、コイル１４０には配線が接続されており、配線はハブ軸１１に沿って外部へと引き出されている。
【００４３】
（コイルボビン）
図１１は、コイルボビンの斜視図である。
同図に示すように、コイルボビン１１０は、外周にコイル１４０（図１０参照）が巻回される円筒状の胴部１１１と、胴部１１１の軸方向一方Ｐ側および軸方向他方Ｑ側の端部外周に径方向外方に張り出すように設けられた第１フランジ１１２Ａおよび第２フランジ１１２Ｂと、を有している。
【００４４】
第１フランジ１１２Ａの軸方向外側端面には、リブ状の壁によってガイド溝１１３Ａが設けられている。第１フランジ１１２Ａの外周面には、ガイド溝１１３Ａに対応する位置に、このガイド溝１１３Ａに連通する係合溝１１４Ａが設けられている。これらガイド溝１１３Ａおよび係合溝１１４Ａは、コイルボビン１１０に、第１ヨーク１２０Ａを位置決めして取り付けるためのものである。また、第１フランジ１１２Ａの軸方向外側端面のガイド溝１１３Ａの隣りには、リブ状の壁によって軸方向から見てＶ字形をなす位置決め凹部１１７Ａが設けられている。
【００４５】
また、第１フランジ１１２Ａと同様に、第２フランジ１１２Ｂの軸方向外側端面には、リブ状の壁によってガイド溝１１３Ｂが設けられている。第２フランジ１１２Ｂの外周面には、ガイド溝１１３Ｂに対応する位置に、このガイド溝１１３Ｂに連通する係合溝１１４Ｂが設けられている。これらガイド溝１１３Ｂおよび係合溝１１４Ｂは、コイルボビン１１０に、第２ヨーク１２０Ｂを位置決めして取り付けるためのものである。また、第２フランジ１１２Ｂの軸方向外側端面のガイド溝１１３Ｂの隣りには、リブ状の壁によって軸方向から見てＶ字形をなす位置決め凹部１１７Ｂが設けられている。
【００４６】
さらに、第１フランジ１１２Ａの外周面および第２フランジ１１２Ｂの外周面には、それぞれ各係合溝１１４Ａ，１１４Ｂの周方向の中間に位置させて、相手側の第２ヨーク１２０Ｂおよび第１ヨーク１２０Ａの先端を支持する支持溝１１５Ａ，１１５Ｂが設けられている。すなわち、第１ヨーク１２０Ａと第２ヨーク１２０Ｂが周方向に一定間隔で交互に配置されることから、第１フランジ１１２Ａの係合溝１１４Ａの周方向の位置と第２フランジ１１２Ｂの支持溝１１５Ｂの周方向の位置とが合致し、第２フランジ１１２Ｂの係合溝１１４Ｂの周方向の位置と第１フランジ１１２Ａの支持溝１１５Ａの周方向の位置とが合致している。これらガイド溝１１３Ａ，１１３Ｂ、係合溝１１４Ａ，１１４Ｂ、および支持溝１１５Ａ，１１５Ｂの詳細については後述する。
【００４７】
（ヨーク）
図１２は、ステータ本体の軸方向から見た図であり、（ａ）は、図１０のＥＡ矢視図、（ｂ）は、図１０のＥＢ矢視図である。図１３は、ステータ本体の第１ヨークと第２ヨークの配置角度を説明するための軸方向一方Ｐ側から見たヨークとコイルボビンの図である。図１４は、第１ヨークと第２ヨークの配置角度を説明するための図で、（ａ）は、１組の第１ヨークと第２ヨークを組み合わせる前の状態を示す斜視図、（ｂ）は、第１ヨークと第２ヨークを組み合わせた後の状態を示す斜視図、（ｃ）は、図１４（ｂ）のＦ矢視図である。図１５は、各ヨークの構成を説明するための図で、（ａ）は、ヨークを構成する１枚の板状部材の斜視図、（ｂ）は、板状部材を積層して構成したヨークの斜視図、（ｃ）は、連結部側から見たヨークの斜視図である。
【００４８】
図１４（ａ）〜図１４（ｃ）に１組の第１ヨーク１２０Ａおよび第２ヨーク１２０Ｂの組み合わせ例を取り出して示すように、第１ヨーク１２０Ａと第２ヨーク１２０Ｂは、コイルボビン１１０に組み付けられる向きが逆であるだけで、同じ構造のものであり、側面視コ字形をなしている。
【００４９】
すなわち、図１４（ａ）〜図１４（ｃ）および図１０に示すように、第１ヨーク１２０Ａは、コイル１４０の外周側に位置してコイル１４０の軸方向一端側（Ｐ側）から軸方向他端側（Ｑ側）に先端１２１ａを延ばした外周側磁極部１２１と、コイル１４０の内周側に位置してコイル１４０の軸方向一端側（Ｐ側）から軸方向他端側（Ｑ側）に向けた中間位置まで先端１２３ａを延ばした内周側磁極部１２３と、コイル１４０の軸方向一端側（Ｐ側）において半径方向に沿って直線状に延在し外周側磁極部１２１と内周側磁極部１２３の基端同士を連結する連結部１２２と、を有している。
【００５０】
同様に、第２ヨーク１２０Ｂは、コイル１４０の外周側に位置してコイル１４０の軸方向他端側（Ｑ側）から軸方向一端側（Ｐ側）に先端１２１ａを延ばした外周側磁極部１２１と、コイル１４０の内周側に位置してコイル１４０の軸方向他端側（Ｑ側）から軸方向一端側（Ｐ側）に向けた中間位置まで先端を延ばした内周側磁極部１２３と、コイル１４０の軸方向他端側（Ｑ側）において半径方向に沿って直線状に延在し外周側磁極部１２１と内周側磁極部１２３の基端同士を連結する連結部１２２と、を有している。
【００５１】
外周側磁極部１２１の径方向外周縁は、ハブ軸１１と実質的に平行に配置されている。外周側磁極部１２１は、その径方向内周縁が先端１２１ａに行くほど径方向外周縁に近づくように先窄まり形状に形成されている。外周側磁極部１２１の先端部では、径方向内周縁と径方向外周縁とが互いに平行になっている。つまり、外周側磁極部１２１の径方向内周縁は、基端から先端１２１ａに行く途中まで斜めに形成され、先端部で径方向外周縁に平行に形成されている。内周側磁極部１２３の径方向内周縁および径方向外周縁は、外周側磁極部１２１の外周縁と平行に形成されている。
【００５２】
図８および図９に示すように、各ヨーク１２０Ａ，１２０Ｂの内周側磁極部１２３は、コイル１４０の内周側に位置するようにコイルボビン１１０の内周に挿入され、コイルボビン１１０の胴部１１１の内周面とハブ軸１１の外周面との間に位置している。そして、周方向に密に配列された各ヨーク１２０Ａ，１２０Ｂの内周側磁極部１２３によって囲まれるステータ中心孔１５０に、ハブ軸１１が貫通固定されている（図７参照）。
【００５３】
（板状部材）
ここで、図１５（ａ）〜図１５（ｃ）に示すように、第１ヨーク１２０Ａおよび第２ヨーク１２０Ｂの各々は、鉄等の磁性体からなる複数の平坦な板状部材１３０を板厚方向（コイル１４０の半径方向と直交する方向）に積層した積層ヨーク（積層体）として構成されている。板状部材１３０（積層板状部材とも言う）の材料としては、例えば、表面に酸化被膜が形成された珪素鋼板（より詳しくは無方向性珪素鋼板）が採用されている。これら板状部材１３０は、プレス等にて板材を打ち抜き成形したものであり、ヨーク１２０Ａ、１２０Ｂの形成に際して曲げ加工は施されておらず、平坦な板体として構成されている。
【００５４】
個々の板状部材１３０は、図１５（ａ）に示すように、略コの字型の鉄片であり、対応する二辺をなす外周側磁極部１３１および内周側磁極部１３３と、それらを連結する一辺となる連結部１３２と、を有している。
各板状部材１３０の基本的な形状は同じであり、図１５（ｂ）および図１５（ｃ）に示すように、これら所定枚数の板状部材１３０を板厚方向に積層することにより、板状部材１３０の外周側磁極部１３１によりヨーク１２０Ａ、１２０Ｂの外周側磁極部１２１が構成されている。また、板状部材１３０の内周側磁極部１３３により、ヨーク１２０Ａ、１２０Ｂの内周側磁極部１２３が構成されている。さらに、板状部材１３０の連結部１３２によりヨーク１２０Ａ、１２０Ｂの連結部１２２が構成されている。本例では、各ヨーク１２０Ａ、１２０Ｂは、７枚の板状部材１３０を積層することで構成されている。
【００５５】
第１ヨーク１２０Ａ、１２０Ｂは、図１０に示すように、外周側磁極部１２１が外径側に来るようにコイルボビン１１０に、軸方向から見て放射状に組み付けられている。第１ヨーク１２０Ａおよび第２ヨーク１２０Ｂは、周方向に一定の間隔（本例では、中心角＝３６０°／３２）をおいて交互に並ぶように配設されている。
ここで、図１２〜図１４に示すように、各ヨーク１２０Ａ、１２０Ｂが、単に半径方向に沿った平面上に配設されるのではなく、半径方向に対して傾斜した平面（後述するヨークの実配置面）上に配置されている。
【００５６】
前述したように、第１ヨーク１２０Ａおよび第２ヨーク１２０Ｂは、円周方向に交互に並ぶと共にコイル１４０の中心から見て放射状に配置されている。従って、第１ヨーク１２０Ａおよび第２ヨーク１２０Ｂが単に半径方向に沿った平面上に配設されていると、隣接する第１ヨーク１２０Ａと第２ヨーク１２０Ｂの内周側磁極部１２３の位置は円周方向にずれることになる。そうすると、隣接する第１ヨーク１２０Ａと第２ヨーク１２０Ｂの内周側磁極部１２３を、１対１で磁気的に接続することはできない。
【００５７】
すなわち、第１ヨーク１２０Ａおよび第２ヨーク１２０Ｂが単に半径方向に沿った平面上に配設されていると、第１ヨーク１２０Ａと第２ヨーク１２０Ｂの内周側磁極部１２３が周方向に密に配列されている場合であっても、１つの第１ヨーク１２０Ａの内周側磁極部１２３の先端１２３ａは、隣接する２つの第２ヨーク１２０Ｂの内周側磁極部１２３の先端１２３ａに跨がって当接することになる。
同様に、１つの第２ヨーク１２０Ｂの内周側磁極部１２３の先端１２３ａは、隣接する２つの第１ヨーク１２０Ａの内周側磁極部１２３の先端１２３ａに跨がって当接することになる。つまり、第１ヨーク１２０Ａの内周側磁極部１２３と第２ヨーク１２０Ｂの内周側磁極部１２３は、１対２の関係で互いに当接することになる。
【００５８】
このように、第１ヨーク１２０Ａの内周側磁極部１２３と第２ヨーク１２０Ｂの内周側磁極部１２３が１対２の関係で互いに当接すると、次のような問題が起こる可能性がある。すなわち、ハブダイナモのステータ本体１０１Ａを実際に組み立てる場合、コイルボビン１１０に対して、軸方向一方Ｐ側から第１ヨーク１２０Ａを挿入し、軸方向他方Ｑ側から第２ヨーク１２０Ｂを挿入する。その際、例えば、第１ヨーク１２０Ａの内周側磁極部１２３の先端１２３ａが当接する２つの第２ヨーク１２０Ｂの内周側磁極部１２３のうち、一方の第２ヨーク１２０Ｂの内周側磁極部１２３の挿入方向寸法が他方の第２ヨーク１２０Ｂの内周側磁極部の挿入方向寸法より短い場合（つまり、隣接する２つの第２ヨーク１２０Ｂの内周側磁極部１２３の挿入方向寸法にバラツキがある場合）、次のようなことが起こり得る。
【００５９】
第１ヨーク１２０Ａの内周側磁極部１２３の先端１２３ａは、挿入方向寸法の長い一方の第２ヨーク１２０Ｂの内周側磁極部１２３の先端１２３ａにのみ当接し、他方の第２ヨーク１２０Ｂの内周側磁極部１２３の先端１２３ａには当接せずに、第１ヨーク１２０Ａの内周側磁極部１２３の先端１２３ａと他方の第２ヨーク１２０Ｂの内周側磁極部１２３の先端１２３ａとの間に隙間が生じることが起こり得る。このように、寸法公差等による当接面のバラツキにより、ヨーク１２０Ａ、１２０Ｂ同士の突き合せ部に隙間が生じると、ヨーク１２０Ａ、１２０Ｂの鉄損が大きくなり、性能が低下する可能性がある。
【００６０】
そこで、本実施形態では、第１ヨーク１２０Ａおよび第２ヨーク１２０Ｂが、半径方向に対して傾斜した平面上に配置されている。すなわち、図１２（ａ）、図１２（ｂ）、および図１３に示すように、まず、各ヨーク１２０Ａ、１２０Ｂの配置に際して、ステータ１０１の外周面上に、周方向に間隔（θ＝１１．２５°＝３６０°／３２）をおいて、交互に第１ヨークの外周側磁極部１２１における外周面の周方向中央ＱＡ（以下、第１ヨークの配置位置ＱＡという）、および第２ヨーク１２０Ｂの外周側磁極部１２１における外周面の周方向中央ＱＢ（以下、第２ヨークの配置位置ＱＢという）が設定されている。
【００６１】
次に、図１２（ａ）および図１３に示すように、ハブ軸の中心軸線Ｏと、第１ヨークの配置位置ＱＡと、を含む平面が第１ヨークの配置基準面ＳＡ０として設定される。これに加え、第１ヨークの配置位置ＱＡを含みハブ軸の中心軸線Ｏに平行で、且つ第１ヨークの配置基準面ＳＡ０に対して周方向一方側ＲＡに角度αＡだけ傾斜した平面が、第１ヨークの実配置面ＳＡ１として設定されている。そして、第１ヨークの実配置面ＳＡ１上に、第１ヨーク１２０Ａが配置されている。
【００６２】
また、図１２（ｂ）および図１３に示すように、ハブ軸の中心軸線Ｏと、第２ヨークの配置位置ＱＢと、を含む平面が、第２ヨークの配置基準面ＳＢ０として設定される。これに加え、第２ヨークの配置位置ＱＢを含みハブ軸の中心軸線Ｏに平行で、且つ第２ヨークの配置基準面ＳＢ０に対して周方向他方側ＲＢに角度αＢだけ傾斜した平面が、第２ヨークの実配置面ＳＢ１として設定されている。そして、第２ヨークの実配置面ＳＢ１上に、第２ヨーク１２０Ｂが配置されている。
【００６３】
この場合、隣接する第１ヨーク１２０Ａの配置位置ＱＡと第２ヨーク１２０Ｂの配置位置ＱＢとの間隔はθ＝１１．２５°（＝３６０°／３２）であるから、第１ヨークの実配置面ＳＡ１および第２ヨークの実配置面ＳＢ１の、各配置基準面ＳＡ０，ＳＢ０に対する傾斜角度αＡ、αＢは、αＡ＝αＢ＝５．６２５°（＝１１．２５°／２）よりも小さい、例えば５°に設定されている。
【００６４】
そして、第１ヨークの実配置面ＳＡ１と第２ヨークの実配置面ＳＢ１との交差線ＳＣ（図１３参照）上において、図１４（ａ）の矢印ＦＰ、ＦＱのように組み合わせることにより、図１４（ｂ）、図１４（ｃ）に示すように、第１ヨーク１２０Ａの内周側磁極部１２３の先端１２３ａと第２ヨーク１２０Ｂの内周側磁極部１２３の先端１２３ａとが互いに当接させられている。これにより、第１ヨーク１２０Ａの内周側磁極部１２３と第２ヨーク１２０Ｂの内周側磁極部１２３とが、１対１の関係で磁気的に接続される。
【００６５】
上述のように各ヨーク１２０Ａ，１２０Ｂが、半径方向に対して傾斜した平面（ヨークの実配置面ＳＡ１、ＳＢ１）上に配置される関係から、以下のようなことがいえる。
すなわち、図１２および図１３に示すように、コイルボビン１１０の第１フランジ１１２Ａおよび第２フランジ１１２Ｂの各ガイド溝１１３Ａ、１１３Ｂも、それらの延在方向が半径方向に対して同様の傾斜角度αＡ、αＢを持つように形成されている。
【００６６】
また、係合溝１１４Ａ，１１４Ｂは、ガイド溝１１３Ａ，１１３Ｂの傾斜に倣うように形成されている。相手側のヨーク１２０Ａ、１２０Ｂの外周側磁極部１２１の先端１２１ａを収容支持する支持溝１１５Ａ、１１５Ｂについては、周方向に位置が対応する係合溝１１４Ｂ、１１４Ａの寸法精度を優先するように若干の余裕をもって形成されている。
【００６７】
組み付けの際には、図１０に示すように、第１ヨーク１２０Ａおよび第２ヨーク１２０Ｂを、軸方向一方Ｐ側及び軸方向他方Ｑ側から交互にコイルボビン１１０に挿入する。すなわち、各ヨーク１２０Ａ、１２０Ｂの連結部１２２を、コイルボビン１１０の第１フランジ１１２Ａおよび第２フランジ１１２Ｂの各ガイド溝１１３Ａ，１１３Ｂに嵌める。また、各ヨーク１２０Ａ、１２０Ｂの外周側磁極部１２１の基端を、コイルボビン１１０の第１フランジ１１２Ａおよび第２フランジ１１２Ｂの各係合溝１１４Ａ，１１４Ｂに嵌める。
【００６８】
さらに、各ヨーク１２０Ａ，１２０Ｂの外周側磁極部１２１の先端１２１ａを、コイルボビン１１０の相手側の第２フランジ１１２Ｂおよび第１フランジ１１２Ａの各支持溝１１５Ａ、１１５Ｂに収容する。また、各ヨーク１２０Ａ、１２０Ｂの内周側磁極部１２３を、コイルボビン１１０の内周面に沿って挿入し、各ヨーク１２０Ａ、１２０Ｂの内周側磁極部１２３の先端１２３ａ同士を突き合わせて当接させる。これにより、コイル１４０を包囲するようにヨーク１２０Ａ，１２０Ｂが装着される。
【００６９】
以上のように組み付けられることにより、第１ヨーク１２０Ａの外周側磁極部１２１と第２ヨーク１２０Ｂの外周側磁極部１２１とが、コイルボビン１１０の胴部１１１に巻回されたリング状のコイル１４０の外周側において、円周方向に間隔をあけて交互に配置される。また、第１ヨーク１２０Ａの内周側磁極部１２３と第２ヨーク１２０Ｂの内周側磁極部１２３とが、コイルボビン１１０の胴部に巻回されたリング状のコイル１４０の内周側に配置される。
【００７０】
その際、コイルボビン１１０の第１フランジ１１２Ａのガイド溝１１３Ａは、第１ヨーク１２０Ａを第１ヨークの実配置面ＳＡ１上に位置決めする役目を果たす。また、第２フランジ１１２Ｂのガイド溝１１３Ｂは、第２ヨーク１２０Ｂを第２ヨークの実配置面ＳＢ１上に位置決めする役目を果たす。そして、複数のヨーク１２０Ａ、１２０Ｂは、コイルボビン１１０に対して回転しないように保持される。
【００７１】
ところで、コイルボビン１１０のフランジ１１２Ａ，１１２Ｂの外周に形成され、相手側のヨーク１２０Ａ，１２０Ｂの外周側磁極部１２１の先端１２１ａを収容支持する支持溝１１５Ａ，１１５Ｂは、成形上の問題などにより、ヨークの外周側磁極部１２１の先端１２１ａの寸法に対して若干の余裕をもって形成されている。そのため、ヨークの外周側磁極部１２１の先端１２１ａにおいて、積層ヨークを構成する板状部材１３０間の接合が弱い場合に、異音を発生する問題があることが分かった。この異音が発生する原理については後述する。
【００７２】
（ホルダ）
そこで、それを防止するためにホルダ１６０Ａ，１６０Ｂが設けられている。次にホルダ１６０Ａ，１６０Ｂについて詳しく説明する。
図８および図９に示すように、第１ホルダ１６０Ａは、第１ヨーク１２０Ａの軸方向他方Ｑ側に延びた先端１２１ａを保持するために、軸方向他方Ｑ側に位置するコイルボビン１１０の第２フランジ１１２Ｂの軸方向外側に配置されている。また、第２ホルダ１６０Ｂは、第２ヨーク１２０Ｂの軸方向一方Ｐ側に延びた先端１２１ａを保持するために、軸方向他方Ｑ側に位置するコイルボビン１１０の第１フランジ１１２Ａの軸方向外側に配置されている。
【００７３】
図１６は、第１ホルダ１６０Ａおよび第２ホルダ１６０Ｂの斜視図である。
両ホルダ１６０Ａ，１６０Ｂは、同じ構成のものである。ホルダ１６０Ａ，１６０Ｂは、円環板状のホルダ本体部１６１と、円環板状のホルダ本体部１６１の軸方向内側面の外周側に円周方向に配列され且つ軸方向内方に向けて突設された複数の押さえ壁１６２と、を有している。図９に示すように、第１ホルダ１６０Ａは、押さえ壁１６２のある側面をコイルボビン１１０の第２フランジ１１２Ｂに向けて軸方向他方Ｑ側に配置されている。また、第２ホルダ１６０Ｂは、押さえ壁１６２のある側面をコイルボビン１１０の第１フランジ１１２Ｂに向けて軸方向一方Ｐ側に配置されている。
【００７４】
各ホルダ１６０Ａ，１６０Ｂの円周方向に配列された複数の押さえ壁１６２は、１つ置きの対（２枚の押さえ壁１６２，１６２）が、それらの間に、ヨークの外周側磁極部１２１の先端１２１ａを挟持する保持溝１６３を形成している。また、保持溝１６３を形成する一対の押さえ壁１６２，１６２の内側面には、ヨークの外周側磁極部１２１の先端１２１ａが挿入された際に、ヨークの外周側磁極部１２１の先端１２１ａに圧接する凸条１６２ａが設けられている。また、保持溝１６３を形成する一対の押さえ壁１６２の内側面の先端側は、ヨークの外周側磁極部１２１の先端１２１ａの挿入を容易にするように、軸方向に向けて（コイルボビンのフランジ１１２Ａ，１１２Ｂに向けて）ハの字状に開いている。
【００７５】
また、一対の押さえ壁１６２の半径方向内周側には、両押さえ壁１６２に跨がることで両押さえ壁１６２を連結する補強壁１６４が設けられている。また、円環板状のホルダ本体部１６１の軸方向内側面には、先端にテーパ１６５ａの付いた円柱状の位置決め突起１６５が設けられている。位置決め突起１６５は、本実施形態では円周方向に間隔をおいて３個設けられているが、個数は問わない。これら位置決め突起１６５は、コイルボビン１１０の各フランジ１１２Ａ、１１２Ｂの外側面のＶ字形の位置決め凹部１１７Ａ，１１７Ｂに嵌まることで、ホルダ１６０Ａ，１６０Ｂをコイルボビン１１０に対して円周方向（回転方向）に位置決めするものである。
【００７６】
円環板状のホルダ本体部１６１の外周縁１６１ａおよび内周縁１６１ｂには、それぞれ軸方向に貫通するコイル引出凹部１６７，１６８（外周縁のコイル引出凹部１６７、内周縁のコイル引出凹部１６８）が設けられている。コイル１４０の始端や終端は、これらコイル引出凹部１６７，１６８を経てステータ１０１外部に引き出される。
【００７７】
また、円環板状の各ホルダ本体部１６１の内周側には、ハブ軸１１に螺合するスリーブナット４２や締付ナット４４によって締め付けられる内周側フランジ壁１６１ｃが設けられている。この内周側フランジ壁１６１ｃは、その肉厚が、ホルダ本体部１６１よりも小さく設定されている。内周側フランジ壁１６１ｃの軸方向内側面は、ホルダ本体部１６１の軸方向内側面と面一であるが、内周側フランジ壁１６１ｃの軸方向外側面は、ホルダ本体部１６１の軸方向外側面より一段凹んだ位置にある。各ホルダ１６０Ａ，１６０Ｂの内周側フランジ壁１６１ｃの軸方向外側の側面には、複数の潰れ突起１６９が円周方向に間隔をおいて設けられている。
【００７８】
これらの潰れ突起１６９は、ハブ軸１１に螺合したスリーブナット４２および締付ナット４４により、第１ヨーク１２０Ａおよび第２ヨーク１２０Ｂを軸方向に締め付けた際に、ナット４２，４４による締め付け力により押し潰されることで、締め付け力を吸収する機能を果たす。
【００７９】
図１７は、第１ホルダ１６０Ａおよび第２ホルダ１６０Ｂに対する第１ヨーク１２０Ａおよび第２ヨーク１２０Ｂの外周側磁極部１２１の先端１２１ａの配置を示す側面図である。
図８および図１７に示すように、このように構成されたホルダ１６０Ａ，１６０Ｂの保持溝１６３に、各ヨーク１２０Ａ，１２０Ｂの外周側磁極部１２１の先端１２１ａが挿入されている。すなわち、第１ヨーク１２０Ａの外周側磁極部１２１の軸方向他方Ｑ側に延びる先端１２１ａは、コイルボビン１１０の第２フランジ１１２Ｂの支持溝１１５Ｂを通過して、第２フランジ１１２Ｂの軸方向外側に配置された第１ホルダ１６０Ａ上の一対の押さえ壁１６２，１６２間の保持溝１６３に圧入されている。これにより、当該一対の押さえ壁１６２，１６２によって、外周側磁極部１２１の先端１２１ａにおける複数の板状部材１３０（図１５参照）が積層方向に密着状態で挟持されている。
【００８０】
同様に、第２ヨーク１２０Ｂの外周側磁極部１２１の軸方向一方Ｐ側に延びる先端１２１ａは、コイルボビン１１０の第１フランジ１１２Ａの支持溝１１５Ａを通過して、第１フランジ１１２Ａの軸方向外側に配置された第２ホルダ１６０Ｂ上の一対の押さえ壁１６２，１６２間の保持溝１６３に圧入されている。これにより、当該一対の押さえ壁１６２，１６２によって、外周側磁極部１２１の先端１２１ａにおける複数の板状部材１３０（図１５参照）が積層方向に密着状態で挟持されている。
【００８１】
図１８は、ステータ１０１と締め付け用のナット４２およびワッシャ４１の関係を説明するための軸方向一方Ｐ側から見た斜視図で、（ａ）は、ナット４２を締め付ける前の状態を示す図、（ｂ）は、ナット４２を締め付けた後の状態を示す図である。図１９は、ステータ１０１と締め付け用のナット４４および２つのワッシャ４９、４３の関係を説明するための軸方向他方Ｑ側から見た斜視図で、（ａ）は、ナット４４を締め付ける前の状態を示す図、（ｂ）は、ナット４４を締め付けた後の状態を示す図である。図２０は、ステータ１０１と締め付け用のナット４２、４４およびワッシャ４１，４３，４９の関係を説明するための断面図である。また、図２１は、図２０の矢視Ｎ１部分の拡大図である。図２２は、図２０の矢視Ｎ２部分の拡大図である。
【００８２】
図１８および図１９に示すように、ステータ１０１（ステータ本体１０１Ａの軸方向両側にホルダ１６０Ａ、１６０Ｂを配置したもの）は、ハブ軸１１に螺合するナット４２，４４を締め付けることにより、ハブ軸１１に固定されている。
【００８３】
まず、図１８、図２０、図２１に基づいて、軸方向一方Ｐ側からのステータ１０１の締め付け構造について説明する。
図１８、図２０、図２１に示すように、ナット４２には、締め付けフランジ部４２ａが設けられている。締め付けフランジ部４２ａの外径は、第２ホルダ１６０Ｂの内周側フランジ壁１６１ｃの外周縁の径よりも小さく設定され、潰れ突起１６９が配置された円周の径よりも大きく設定されている。従って、ナット４２を締め付けた際に、ナット４２の締め付けフランジ部４２ａが、第２ホルダ１６０Ｂの潰れ突起１６９を潰しながら内周側フランジ壁１６１ｃを押圧する。
【００８４】
金属製のワッシャ４１の外径は、第２ホルダ１６０Ｂのホルダ本体部１６１の内径よりも小さく設定されている。また、ワッシャ４１の肉厚ｔ２は、第２ホルダ１６０Ｂの内周側フランジ壁１６１ｃの肉厚ｔ１よりも大きく設定されている。従って、ナット４２を締め付けた際に、その強力な締め付け力Ｆ１を、ワッシャ４１を介した力Ｆ２として直に、第１ヨーク１２０Ａの軸方向外側面（内周側磁極部１２３の基端）に加えることができる。
【００８５】
次に、図１９、図２０、図２２に基づいて、軸方向他方Ｑ側からのステータ１０１の締め付け構造について説明する。
図１９、図２０、図２２に示すように、ナット４４の締め付け方向前側には、ナット４４より径の大きな金属製の第１ワッシャ４３が配置されている。第１ワッシャ４３の外径は、第１ホルダ１６０Ａの内周側フランジ壁１６１ｃの外周縁の径よりも小さく設定され、潰れ突起１６９が配置された円周の径よりも大きく設定されている。従って、ナット４４を締め付けた際に、第１ワッシャ４３が、第１ホルダ１６０Ａの潰れ突起１６９を潰しながら内周側フランジ壁１６１ｃを押圧する。
【００８６】
また、第１ワッシャ４３の締め付け方向前側には、金属製の第２ワッシャ４９が配置されている。この第２ワッシャ４９の外径は、第１ホルダ１６０Ａのホルダ本体部１６１の内径よりも小さく設定されている。また、第２ワッシャ４９の肉厚ｔ３は、第１ホルダ１６０Ａの内周側フランジ壁１６１ｃの肉厚ｔ１よりも大きく設定されている。従って、ナット４４を締め付けた際に、その強力な締め付け力Ｆ１を、第１ワッシャ４３および第２ワッシャ４９を介した力Ｆ２として直に、第２ヨーク１２０Ｂの軸方向外側面（内周側磁極部１２３の基端）に加えることができる。
【００８７】
（ヨークの細部）
次に、各ヨーク１２０Ａ，１２０Ｂの細部について、主に図１５を参照して述べる。
ヨーク１２０Ａ，１２０Ｂを円周方向に間隔をおいて軸方向から見て放射状に配列すると、隣接するヨーク１２０Ａ，１２０Ｂの内周側磁極部１２３が密に並ぶことになり、互いに干渉する可能性が出てくる。そこで、本実施形態では、内周側磁極部１２３の周方向一端側または他端側の少なくとも一方に、隣接するヨーク１２０Ａ，１２０Ｂの内周端同士の干渉を避ける切欠部１３５が設けられている。
【００８８】
ここでは、第１ヨーク１２０Ａの配置基準面ＳＡ０に対する第１ヨークの実配置面ＳＡ１の傾斜方向、および第２ヨーク１２０Ｂの配置基準面ＳＢ０に対する第２ヨークの実配置面ＳＢ１の傾斜方向を、各ヨークの傾斜方向と定義する。また、積層した７枚の板状部材１３０を、傾斜方向の前方側から後方側にそれぞれ区別した符号１３０−１〜１３０−７で示すことにする。
そうした場合、ヨーク１２０Ａ（１２０Ｂ）の傾斜方向の前方側に位置する積層板状部材（例えば、板状部材１３０−１）の径方向内周端の位置が、ヨーク１２０Ａ（１２０Ｂ）の傾斜方向の後方側に位置する積層板状部材（例えば、板状部材１３０−７）の径方向内周端の位置よりも径方向外方にあるように、積層された板状部材１３０の寸法が決められている。
【００８９】
すなわち、図１５（ｃ）に示すように、第１ヨーク１２０Ａ（１２０Ｂ）の傾斜方向の前端に位置する板状部材１３０−１の径方向寸法Ｋ１は、この板状部材１３０−１の次に前側に位置する板状部材１３０−２の径方向寸法Ｋ２よりも、寸法Ｋ３だけ小さく設定されている。また、板状部材１３０−２の径方向寸法Ｋ２は、この板状部材１３０−２よりも傾斜方向後方に位置する板状部材１３０−３〜１３０−７の径方向寸法Ｋ４よりも、寸法Ｋ５だけ小さく設定されている。
これにより、板状部材１３０−１〜１３０−７を積層した際に、ヨーク１２０Ａ（１２０Ｂ）の内周側磁極部１２３の内周端の傾斜方向の前端に、隣のヨーク１２０Ａ（１２０Ｂ）の内周側磁極部１２３の内周端との干渉を避ける切欠部１３５が確保される。
【００９０】
なお、干渉の可能性の程度によっては、板状部材１３０−２〜１３０−７の径方向寸法を同一に設定し、傾斜方向の最前端に位置する板状部材１３０−１の径方向寸法Ｋ１のみ、他の板状部材１３０−２〜１３０−７の径方向寸法よりも短く設定してもよい。また、例えば、傾斜方向の最前端の板状部材１３０−１から３番目の板状部材１３０−３以降の径方向寸法も、傾斜方向の後方に位置する板状部材１３０−３〜１３０−７ほど、径方向寸法が長くなるように設定してもよい。
【００９１】
このように、ヨーク１２０Ａ（１２０Ｂ）の傾斜方向前側の内周端に切欠部１３５が設けられることにより、周方向に並べられる複数のヨーク１２０Ａ（１２０Ｂ）間の間隔を密にしても干渉を避けることができるようになる。言い換えると、ヨーク１２０Ａ（１２０Ｂ）の配置間隔を小さくして多数個のヨーク１２０Ａ（１２０Ｂ）を配設することができるようになる。
【００９２】
次に作用について述べる。
（発電の仕組み）
このように構成されたハブダイナモ１０の発電は、以下の要領で行われる。
すなわち、前輪５が回転すると、スポーク２により前輪５に接続されたロータ２０が前輪５と共にハブ軸１１周りに回転し、永久磁石２２がステータ１０１周りを回転する。
【００９３】
回転する永久磁石２２の磁束により、軸方向一方Ｐ側の第１ヨーク１２０Ａの外周側磁極部１２１がＮ極、軸方向他方Ｑ側の第２ヨーク１２０Ｂの外周側磁極部１２１がＳ極となる状態と、軸方向一方Ｐ側の第１ヨーク１２０Ａの外周側磁極部１２１がＳ極、軸方向他方Ｑ側の第２ヨーク１２０Ｂの外周側磁極部１２１がＮ極となる状態と、が交互に繰り返される。これにより、両者を磁気的に連結している両ヨーク１２０Ａ、１２０Ｂの内周側磁極部１２３に交番磁束が発生する。このコイルの内周側に発生する交番磁束によって、ステータ１０１のコイル１４０に電流が流れて発電が行われる。
【００９４】
この発電時には、交番磁束に加えて、渦電流も発生する。この渦電流は発電効率を低下させるものであるが、本ハブダイナモ１０においては、各ヨーク１２０Ａ、１２０Ｂを複数の板状部材１３０の積層体として構成しているので、渦電流の発生を抑えることができる。
【００９５】
次に、第１ヨーク１２０Ａおよび第２ヨーク１２０Ｂの外周側磁極部１２１（ティース部）で発生する異音の問題について説明する。
各ヨーク１２０Ａ，１２０Ｂが、磁性体からなる複数枚の板状部材１３０（図１５参照）を積層した積層ヨークとして構成されている場合、板状部材１３０間は接着剤により接合されているのが一般的である。しかし、板状部材１３０間の接合強度が足りないと、ヨーク１２０Ａ，１２０Ｂの外周側で永久磁石２２のＮ極とＳ極が交互に回転移動するのに伴って、異音が発生する問題が生じることがある。
【００９６】
異音発生の原理について、図２３（ａ）〜図２３（ｄ）に基づいて説明する。
例えば、図２３（ａ）に示すように、ヨークの外周側を永久磁石２２のＮ極が通過する際には、ヨーク１２０Ａ、１２０Ｂの外周端（外周側磁極部）はＳ極に励磁される。すると、積層された板状部材１３０が全てＳ極に励磁されることにより、板状部材１３０同士間に反発力が発生し、板状部材１３０同士が互いに離れようとする。
【００９７】
図２３（ｂ）に示すように、板状部材１３０間の接合強度が弱い場合は、例えば、一番外側に積層してある１枚の板状部材１３０が僅かでも離れてしまうことがある。このような状態で永久磁石２２が一定以上動くと、今度は離れた１枚の板状部材１３０に隣りのＳ極が近づくことにより、図２３（ｃ）に示すように、離れた板状部材１３０がＮ極に励磁される。
離れた板状部材１３０がＮ極に励磁されると、残りのＳ極に励磁されている板状部材１３０との間に吸引力が発生し、図２３（ｄ）に示すように、離れた板状部材１３０が吸引されて残りの板状部材１３０に叩き付けられることになる。その際、衝突による異音が発生することがある。
【００９８】
この点、本実施形態では、ヨーク１２０Ａ，１２０Ｂの外周側磁極部１２１の基端ばかりでなく、先端１２１ａを、ホルダ１６０Ａ，１６０Ａによって板状部材１３０の積層方向に密着状態で挟持している。従って、積層ヨークの板状部材１３０間に磁気的反発力が生じても、積層方向の端部の板状部材１３０が他の板状部材１３０から離れないようにすることができる。その結果、永久磁石２２の回転に応じて積層方向の端部の板状部材１３０が他の板状部材１３０から離れた後で磁気吸引されて他の板状部材１３０に叩き付けられる現象を無くすことができ、異音の発生を解消することができる。また、ヨーク１２０Ａ、１２０Ｂの外周側磁極部１２１の先端１２１ａを、板状部材１３０間が密着する状態で挟持することから、接着剤を用いて板状部材１３０間を接着する工程を省略することも可能になり、製造工程の簡素化が図れる。
【００９９】
また、コイルボビン１１０の第１フランジ１１２Ａにより軸方向一方Ｐ端側（基端側）を保持した第１ヨーク１２０Ａの外周側磁極部１２１の軸方向他方Ｑ側に延ばした先端１２１ａを、コイルボビン１１０の第２フランジ１１２Ｂの軸方向外側に配置した第１ホルダ１６０Ａで支持している。また、コイルボビン１１０の第２フランジ１１２Ｂにより軸方向他方Ｑ端側（基端側）を保持した第２ヨーク１２０Ｂの外周側磁極部１２１の軸方向一方Ｐ側に延ばした先端１２１ａを、コイルボビン１１０の第１フランジ１１２Ａの軸方向外側に配置した第２ホルダ１６０Ｂで支持している。つまり、外周側磁極部１２１の先端１２１ａを保持するホルダ１６０Ａ、１６０Ｂは、各ヨーク１２０Ａ、１２０Ｂが配置された側と反対側にコイルボビン１１０のフランジ１１２Ａ、１１２Ｂと別体に配置されたものである。そのため、コイルボビン１１０のフランジ１１２Ａ、１１２Ｂの加工精度に拘わらず、ホルダ１６０Ａ、１６０Ｂの精度を確保しさえすれば、ヨーク１２０Ａ、１２０Ｂの外周側磁極部１２１の先端１２１ａを密着状態で安定保持することができる。
【０１００】
また、ヨーク１２０Ａ，１２０Ｂの外周側磁極部１２１の先端１２１ａを保持する一対の押さえ壁１６２，１６２は、その内周側に配置した補強壁１６４で補強しているので、ヨーク１２０Ａ，１２０Ｂの外周側磁極部１２１の先端１２１ａに対する挟持力を強く設定できる。また、補強壁１６４が、一対の押さえ壁１６２，１６２の内周側に跨がって配置されていることで、ヨーク１２０Ａ，１２０Ｂの外周側磁極部１２１の先端１２１ａの半径方向内方への位置ずれを防ぐこともできる。
【０１０１】
また、本実施形態では、ステータ１０１の両端部にナット４２，４４の締め付け力を伝えるワッシャ４１，４９の肉厚ｔ２，ｔ３を、ホルダ１６０Ａ，１６０Ｂの内周側フランジ壁１６１ｃの肉厚ｔ１よりも大きく設定している。これにより、ナット４２，４４による締め付け力を直接、ヨーク１２０Ａ，１２０Ｂの内周側磁極部１２３の基端に作用させることができ。そのため、第１ヨーク１２０Ａの内周側磁極部１２３の先端１２３ａと第２ヨーク１２０Ｂの内周側磁極部１２３の先端１２３ａとを互いに強く当接させることができ、第１ヨーク１２０Ａと第２ヨーク１２０Ｂを良好に磁気結合させることができる。
【０１０２】
また、樹脂製のホルダ１６０Ａ，１６０Ｂに対しては、ナット４２，４４の締め付けに伴って潰れ突起１６９が潰れることによって、ホルダ本体部１６１に過大な締め付け力が作用しないようにすることができる。そのため、ホルダ１６０Ａ，１６０Ｂを過不足なく締め付け固定することができると共に、樹脂製のホルダ１６０Ａ，１６０Ｂがあるからといって、ナット４２，４４による締め付け力を小さめに設定する必要もない。つまり、ナット４２，４４による締め付け力を大きめに設定することで、第１ヨーク１２０Ａと第２ヨーク１２０Ｂの磁気結合性を高めることが可能になる。
【０１０３】
また、ホルダ１６０Ａ，１６０Ｂの外周縁１６１ａと内周縁１６１ｂには、コイル引出凹部１６７，１６８を設けているので、コイル１４０の始端や終端をスムーズに外部に引き出すことができる。
【０１０４】
また、本実施形態のハブダイナモにおいては、第１ヨーク１２０Ａおよび第２ヨーク１２０Ｂを半径方向に沿った平面（ヨークの配置基準面ＳＡ０、ＳＢ０）上ではなく、半径方向に対して傾斜した平面（ヨークの実配置面ＳＡ１、ＳＡＢ１）上に配置している。このため、第１ヨーク１２０Ａの内周側磁極部１２３と第２ヨーク１２０Ｂの内周側磁極部１２３とを１対１の関係で当接させることができる。
【０１０５】
従って、ヨーク１２０Ａ，１２０Ｂの寸法公差等によるバラツキにより、第１ヨーク１２０Ａと第２ヨーク１２０Ｂの当接面に隙間が生じる可能性を無くすことができ、当接面の密着度を高めることができる。その結果、ヨーク１２０Ａ，１２０Ｂの磁気的接続を安定させて鉄損を減少することができ、効率を向上することが可能になる。
【０１０６】
また、本実施形態では、コイルボビン１１０のフランジ１１２Ａ，１１２Ｂのガイド溝１１３Ａ，１１３Ｂや係合溝１１４Ａ、１１４Ｂにヨーク１２０Ａ，１２０Ｂの軸方向端部を係合させることにより、ヨークを半径方向に対して傾斜した平面（ヨークの実配置面ＳＡ１、ＳＢ１）上に位置決めすることができる。従って、ヨーク１２０Ａ，１２０Ｂをコイルボビン１１０に組み付けることで、コイルボビン１１０に巻回したコイル１４０とヨーク１２０Ａ，１２０Ｂの位置関係を適正に定めることができる。
【０１０７】
なお、本発明は上述の実施形態に限られるものではなく、本発明の趣旨を逸脱しない範囲において、上述の実施形態に種々の変更を加えたものを含む。
【０１０８】
例えば、ヨーク１２０Ａ，１２０Ｂを構成する際の板状部材１３０の積層枚数は任意に定めてよいし、ヨーク１２０Ａ，１２０Ｂの個数も３２個に限られるものではない。
【０１０９】
また、ステータ１０１の個数も１つに限定されず、２つあるいは３つをハブ軸１１上に並べて配置してステータユニットを構成してもよい。この場合、２つのステータ１０１の位相をずらすことにより、位相のずれた交番電流を生成できる。
【０１１０】
また、上記実施形態では、ホルダ１６０Ａ，１６０Ｂを、コイルボビンの１１０のフランジ１１２Ａ，１１２Ｂと別体に構成しているが、ホルダ１６０Ａ，１６０Ｂをコイルボビン１１０のフランジ１１２Ａ，１１２Ｂと一体に形成することも可能である。
【符号の説明】
【０１１１】
１…自転車、２…スポーク、３…フロントフォーク、４…前照灯（発光ダイオード）、５…前輪（車輪）、５ａ…リム、１０…ハブダイナモ、１１…ハブ軸、２０…ロータ、２１…リングヨーク、２２…永久磁石、２２ａ…永久磁石の内周面、３０…ハブシェル、３１…胴部、３２…第１のエンドプレート、３３…第２のエンドプレート、３４…フランジ、３４ａ…支持孔、３５…ベアリング、３６…ベアリング、４１…プレート部材、４２…スリーブナット、４３…プレート部材、４４…締付ナット、４５…別にスリーブナット、４６…カバー、４７…ナット、５０…コネクタ、５１…ナット、１００…ステータユニット（ハブ軸１１＋ステータ１０１など）、１０１…ステータ、１０１Ａ…ステータ本体、１１０…コイルボビン、１１１…胴部、１１２Ａ…第１フランジ、１１２Ｂ…第２フランジ、１１３Ａ…ガイド溝（第１ヨーク連結部ガイド溝）、１１３Ｂ…ガイド溝（第２ヨーク連結部ガイド溝）、１１４Ａ…係合溝（第１ヨーク外周側ガイド溝）、１１４Ｂ…係合溝（第２ヨーク外周側ガイド溝）、１１５Ａ…支持溝、１１５Ｂ…支持溝、１１７Ａ…Ｖ形の凹部、１１７Ｂ…Ｖ形の凹部、１２０…ステータコア、１２０Ａ…第１ヨーク、１２０Ｂ…第２ヨーク、１２１…外周側磁極部、１２１ａ…先端、１２２…連結部、１２３…内周側磁極部、１２３ａ…先端、１３０，１３０−１〜１３０−７…板状部材、１３１…外周側磁極部、１３２…連結部、１３３…内周側磁極部、１３５…切欠部、１４０…コイル、１５０…ステータ中心孔、１６０Ａ…第１ホルダ、１６０Ｂ…第２ホルダ、１６１…ホルダ本体部、１６１ａ…外周縁、１６１ｂ…内周縁、１６２…押さえ壁、１６２ａ…潰れ凸部、１６３…保持溝、１６４…補強壁、１６５…位置決め突起、１６５ａ…先端テーパ、１６７…外周縁のコイル引出凹部、１６８…内周縁のコイル引出凹部、１６９…潰れ突起、Ｏ…ハブ軸の中心軸線、Ｐ…軸方向一方側、Ｑ…軸方向他方側、ＱＡ…周方向中央（第１ヨークの配置位置）、ＱＢ…周方向中央（第２ヨークの配置位置）、ＳＡ０…第１ヨークの配置基準面、ＳＡ１…第１ヨークの実配置面、ＳＢ０…第２ヨークの配置基準面
ＳＢ１…第２ヨークの実配置面、ＳＣ…交差線
【図１】
2019047666.tif 000003
【図２】
2019047666.tif 000004
【図３】
2019047666.tif 000005
【図４】
2019047666.tif 000006
【図５】
2019047666.tif 000007
【図６】
2019047666.tif 000008
【図７】
2019047666.tif 000009
【図８】
2019047666.tif 000010
【図９】
2019047666.tif 000011
【図１０】
2019047666.tif 000012
【図１１】
2019047666.tif 000013
【図１２】
2019047666.tif 000014
【図１３】
2019047666.tif 000015
【図１４】
2019047666.tif 000016
【図１５】
2019047666.tif 000017
【図１６】
2019047666.tif 000018
【図１７】
2019047666.tif 000019
【図１８】
2019047666.tif 000020
【図１９】
2019047666.tif 000021
【図２０】
2019047666.tif 000022
【図２１】
2019047666.tif 000023
【図２２】
2019047666.tif 000024
【図２３】
2019047666.tif 000025